(57)【要約】  プラズマディスプレイ装置の画像表示品質の低下を抑制しつつ書込み期間を短縮する。そのために、プラズマディスプレイパネルと駆動回路とを備えたプラズマディスプレイ装置の駆動方法において、右目用画像信号を表示する右目用フィールドと左目用画像信号を表示する左目用フィールドとを交互にプラズマディスプレイパネルに表示するとともに、右目用フィールドおよび左目用フィールドのそれぞれは、輝度重みの最も小さいサブフィールドを最初に発生し、次に輝度重みの最も大きいサブフィールドを発生し、それ以降にその他のサブフィールドを発生し、輝度重みの最も小さいサブフィールドおよび輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行う。
2011074227.tif 000002
【特許請求の範囲】
【請求項１】
走査電極と維持電極とデータ電極とを有する放電セルを複数配列したプラズマディスプレイパネルと、前記プラズマディスプレイパネルを駆動する駆動回路とを備えたプラズマディスプレイ装置の駆動方法であって、
右目用画像信号を表示する右目用フィールドと左目用画像信号を表示する左目用フィールドとを交互に前記プラズマディスプレイパネルに表示するとともに、
前記右目用フィールドおよび前記左目用フィールドのそれぞれは、輝度重みの最も小さいサブフィールドを最初に発生し、次に輝度重みの最も大きいサブフィールドを発生し、それ以降にその他のサブフィールドを発生し、前記輝度重みの最も小さいサブフィールドおよび前記輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行う
ことを特徴とするプラズマディスプレイ装置の駆動方法。
【請求項２】
前記右目用フィールドおよび前記左目用フィールドに同期したタイミング信号を出力する
ことを特徴とする請求項１に記載のプラズマディスプレイ装置の駆動方法。
【請求項３】
走査電極と維持電極とデータ電極とを有する放電セルを複数配列したプラズマディスプレイパネルと、前記プラズマディスプレイパネルを駆動する駆動回路とを備えたプラズマディスプレイ装置であって、
前記駆動回路は、
右目用画像信号を表示する右目用フィールドと左目用画像信号を表示する左目用フィールドとを交互に前記プラズマディスプレイパネルに表示するとともに、
前記右目用フィールドおよび前記左目用フィールドのそれぞれは、輝度重みの最も小さいサブフィールドを最初に発生し、次に輝度重みの最も大きいサブフィールドを発生し、それ以降にその他のサブフィールドを発生し、前記輝度重みの最も小さいサブフィールドおよび前記輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行う
ことを特徴とするプラズマディスプレイ装置。
【請求項４】
前記駆動回路は、前記右目用フィールドおよび前記左目用フィールドに同期したタイミング信号を出力するタイミング信号出力部を有する
ことを特徴とする請求項３に記載のプラズマディスプレイ装置。
【請求項５】
走査電極と維持電極とデータ電極とを有する放電セルを複数配列したプラズマディスプレイパネルと、
右目用画像信号を表示する右目用フィールドと左目用画像信号を表示する左目用フィールドとを交互に前記プラズマディスプレイパネルに表示するとともに、前記右目用フィールドおよび前記左目用フィールドのそれぞれは、輝度重みの最も小さいサブフィールドを最初に発生し、次に輝度重みの最も大きいサブフィールドを発生し、それ以降にその他のサブフィールドを発生し、前記輝度重みの最も小さいサブフィールドおよび前記輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行って前記プラズマディスプレイパネルを駆動し、さらに前記右目用フィールドおよび前記左目用フィールドに同期したタイミング信号を出力するタイミング信号出力部を有する駆動回路と、
前記タイミング信号出力部から出力されたタイミング信号にもとづき右目用シャッタおよび左目用シャッタを開閉するシャッタ眼鏡とを備えた
ことを特徴とするプラズマディスプレイシステム。
【発明の詳細な説明】
【技術分野】
【０００１】
本発明は、プラズマディスプレイパネルに交互に表示される右目用画像と左目用画像とからなる立体画像をシャッタ眼鏡を用いて立体視することができるプラズマディスプレイ装置の駆動方法、プラズマディスプレイ装置およびプラズマディスプレイシステムに関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数のデータ電極が形成された背面基板とを対向配置し、その間に多数の放電セルが形成されている。そして、放電セル内でガス放電により紫外線を発生させ、この紫外線で赤色、緑色および青色の各色の蛍光体を励起発光させてカラーの画像表示を行う。【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。【０００４】
初期化期間では、放電セルに初期化放電を発生し、続く書込み動作に必要な壁電荷を形成する初期化動作を行う。書込み期間では、表示する画像に応じて放電セルで選択的に書込み放電を発生して放電セル内に壁電荷を形成する書込み動作を行う。維持期間では、サブフィールド毎に定められた数の維持パルスを走査電極と維持電極とに交互に印加して放電セルに維持放電を発生する維持動作を行う。そして、書込み動作を行った放電セルの蛍光体層を発光させることにより、その放電セルを画像信号の階調値に応じた輝度で発光させて、パネルの画像表示領域に画像を表示する。【０００５】
上記のサブフィールド法では、パネルの大画面化、高精細度化等により走査電極の数が増加すると、書込み期間に要する時間が長くなり、維持動作に費やすことができる時間が減少するという問題が生じる。【０００６】
この問題を解決するために、「同時書込み動作」を行う駆動方法が提案されている。同時書込み動作とは、複数の走査電極に同時に走査パルスを印加して書込み動作を行う駆動方法である（例えば、特許文献１参照）。同時書込み動作を行うと、書込み動作に費やす時間を短縮して書込み期間を短縮することができるので、例えば、サブフィールドの数を増やしたり、あるいは維持動作に費やす時間を増やす、といったことが可能になる。【０００７】
また、３次元（３  Ｄｉｍｅｎｓｉｏｎ：以下「３Ｄ」と記す）画像表示装置としてプラズマディスプレイ装置を応用することが検討されている。【０００８】
このプラズマディスプレイ装置では、立体視用の画像（３Ｄ画像）を構成する右目用画像と左目用画像とをパネルに交互に表示し、使用者は、シャッタ眼鏡と呼ばれる特殊な眼鏡を用いてその画像を観測する。【０００９】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、表示画像を立体視することができる。【００１０】
このように、３Ｄ画像表示装置として用いられるプラズマディスプレイ装置においては、１枚の３Ｄ画像を表示するために、１枚の右目用画像と１枚の左目用画像との２枚の画像を表示しなければならない。そのため、シャッタ眼鏡を通して３Ｄ画像を観測する使用者には、１秒間にパネルに表示される画像の数が、１秒間のフィールドの数の半分の数として観測される。【００１１】
例えば、パネルに表示される画像のフィールド周波数（１秒間に発生するフィールドの数）が６０Ｈｚのとき、その画像が３Ｄ画像ではない通常の画像（２Ｄ画像）であれば、１秒間に６０枚の２Ｄ画像が表示されるが、その画像が３Ｄ画像であれば、１秒間に３０枚の３Ｄ画像が表示されることになる。【００１２】
したがって、１秒間に６０枚の３Ｄ画像を表示するためには、フィールド周波数を６０Ｈｚの２倍の１２０Ｈｚに設定しなければならない。その場合、１枚の右目用画像または１枚の左目用画像を表示するために使用できる時間は、１枚の２Ｄ画像を表示するために使用できる時間の２分の１に制限される。【００１３】
このような場合、パネルの駆動に要する時間を削減する方法として、上述した同時書込み動作を用いた駆動方法が有効である。しかしながら、同時書込み動作を用いた駆動方法では、走査電極に直行する方向（以下、「垂直方向」と記す）の解像度（以下、「垂直解像度」と記す）が低下しやすい。例えば、隣接する２本の走査電極に同時に走査パルスを印加する場合、それら２本の走査電極に同時に書込み動作を行うので、パネルに表示される１枚の画像において、隣接する２本の走査電極上に形成される各放電セルが同じパターンで発光する。そのため、走査電極に直行する方向（垂直方向）に関して、画像の解像度は、走査電極の数の半分に低下する。【００１４】
垂直解像度が低下すると、斜め線の図柄が含まれている画像を表示する際に、垂直解像度が高い画像と比較して、その斜め線の滑らかさが損なわれやすい。特に、斜め線が特定のスピードで移動する動画像では、斜め線の劣化が目につきやすいことが確認されている。また、垂直解像度が低下すると、ディザ処理（より多くの階調値を表示するために用いられる手法）等の画像処理を画像信号に対して行うときに、特定の階調を表示する領域において図柄の滑らかさが損なわれることも確認されている。【００１５】
３Ｄ画像表示装置として用いるプラズマディスプレイ装置において、同時書込み動作を用いた駆動方法によりパネルを駆動して３Ｄ画像を表示する際に、画像表示品質を確保するためには、上述した画像表示品質の低下を抑制することは重要である。
【先行技術文献】
【特許文献】
【００１６】
【特許文献１】特開２００８−１１６８９４号公報
【発明の概要】
【００１７】
本発明のプラズマディスプレイ装置の駆動方法は、走査電極と維持電極とデータ電極とを有する放電セルを複数配列したパネルと、パネルを駆動する駆動回路とを備えたプラズマディスプレイ装置の駆動方法である。そして、右目用画像信号を表示する右目用フィールドと左目用画像信号を表示する左目用フィールドとを交互にパネルに表示するとともに、右目用フィールドおよび左目用フィールドのそれぞれは、輝度重みの最も小さいサブフィールドを最初に発生し、次に輝度重みの最も大きいサブフィールドを発生し、それ以降にその他のサブフィールドを発生し、輝度重みの最も小さいサブフィールドおよび輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行う。
【００１８】
この方法により、３Ｄ画像表示装置として使用可能なプラズマディスプレイ装置において、３Ｄ画像を表示する際に、書込み期間を短縮しつつ書込み放電を安定に発生して画像表示品質を高め、滑らかな動画の３Ｄ画像をパネルに表示することができる。
【００１９】
本発明のプラズマディスプレイ装置は、走査電極と維持電極とデータ電極とを有する放電セルを複数配列したパネルと、パネルを駆動する駆動回路とを備えたプラズマディスプレイ装置である。そして、駆動回路は、右目用画像信号を表示する右目用フィールドと左目用画像信号を表示する左目用フィールドとを交互にパネルに表示するとともに、右目用フィールドおよび左目用フィールドのそれぞれは、輝度重みの最も小さいサブフィールドを最初に発生し、次に輝度重みの最も大きいサブフィールドを発生し、それ以降にその他のサブフィールドを発生し、輝度重みの最も小さいサブフィールドおよび輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行う。
【００２０】
この構成により、３Ｄ画像表示装置として使用可能なプラズマディスプレイ装置において、３Ｄ画像を表示する際に、書込み期間を短縮しつつ書込み放電を安定に発生して画像表示品質を高め、滑らかな動画の３Ｄ画像をパネルに表示することができる。
【００２１】
本発明のプラズマディスプレイシステムは、走査電極と維持電極とデータ電極とを有する放電セルを複数配列したパネルと、駆動回路と、シャッタ眼鏡とを備える。駆動回路は、右目用画像信号を表示する右目用フィールドと左目用画像信号を表示する左目用フィールドとを交互にパネルに表示するとともに、右目用フィールドおよび左目用フィールドのそれぞれは、輝度重みの最も小さいサブフィールドを最初に発生し、次に輝度重みの最も大きいサブフィールドを発生し、それ以降にその他のサブフィールドを発生し、輝度重みの最も小さいサブフィールドおよび輝度重みの最も大きいサブフィールドでは、走査電極の１本ずつに走査パルスを印加する１ライン毎書込み動作を行い、その他のサブフィールドでは隣接する２本の走査電極に同時に走査パルスを印加する２ライン毎同時書込み動作を行ってパネルを駆動する。さらに、駆動回路は、右目用フィールドおよび左目用フィールドに同期したタイミング信号を出力するタイミング信号出力部を有する。シャッタ眼鏡は、タイミング信号出力部から出力されたタイミング信号にもとづき右目用シャッタおよび左目用シャッタを開閉する。
【００２２】
この構成により、３Ｄ画像表示装置として使用可能なプラズマディスプレイ装置を備えたプラズマディスプレイシステムにおいて、３Ｄ画像を表示する際に、書込み期間を短縮しつつ書込み放電を安定に発生して画像表示品質を高め、滑らかな動画の３Ｄ画像をパネルに表示することができる。
【図面の簡単な説明】
【００２３】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置の回路ブロック図およびプラズマディスプレイシステムの概要を示す図である。
【図４】図４は、本発明の一実施の形態におけるプラズマディスプレイ装置に用いるパネルの各電極に印加する駆動電圧波形図である。
【図５】図５は、本発明の一実施の形態におけるプラズマディスプレイ装置のサブフィールド構成およびシャッタ眼鏡の開閉動作を示す模式図である。
【図６】図６は、本発明の一実施の形態におけるプラズマディスプレイ装置のサブフィールド構成と放電セルにおける発光輝度と右目用シャッタおよび左目用シャッタの開閉状態とを示す模式図である。
【発明を実施するための形態】
【００２４】
以下、本発明の実施の形態におけるプラズマディスプレイ装置について、図面を用いて説明する。
【００２５】
（実施の形態）
図１は、本発明の一実施の形態におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。保護層２６は、酸化マグネシウム（ＭｇＯ）を主成分とする材料で形成されている。
【００２６】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２７】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えば、ネオンとキセノンの混合ガスを放電ガスとして封入する。なお、本実施の形態では、発光効率を向上するためにキセノン分圧を約１０％にした放電ガスを用いている。
【００２８】
放電空間は隔壁３４によって複数の区画に仕切られており、表示電極対２４とデータ電極３２とが交差する部分に放電セルが形成されている。そして、これらの放電セルを放電、発光（点灯）することによりパネル１０にカラーの画像が表示される。
【００２９】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００３０】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００３１】
図２は、本発明の一実施の形態におけるプラズマディスプレイ装置に用いるパネル１０の電極配列図である。パネル１０には、行方向（ライン方向）に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３２】
図３は、本発明の一実施の形態におけるプラズマディスプレイ装置４０の回路ブロック図およびプラズマディスプレイシステムの概要を示す図である。本実施の形態に示すプラズマディスプレイシステムは、プラズマディスプレイ装置４０とシャッタ眼鏡５０とを構成要素に含む。
【００３３】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。またプラズマディスプレイ装置４０は、タイミング信号出力部４６を備えている。タイミング信号出力部４６は、使用者が使用するシャッタ眼鏡５０のシャッタの開閉を制御するシャッタ開閉用タイミング信号をシャッタ眼鏡５０に出力する。
【００３４】
画像信号処理回路４１は、入力された画像信号にもとづき、各放電セルに階調値を割り当てる。そして、その階調値を、サブフィールド毎の発光・非発光を示す画像データに変換する。例えば、入力された画像信号ｓｉｇがＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号ｓｉｇが輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。また、入力される画像信号が、右目用画像信号と左目用画像信号とを有する３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００３５】
データ電極駆動回路４２は、右目用画像データおよび左目用画像データを、各データ電極Ｄ１〜データ電極Ｄｍに対応する信号（書込みパルス）に変換し、データ電極Ｄ１〜データ電極Ｄｍのそれぞれに印加する。
【００３６】
タイミング発生回路４５は、水平同期信号および垂直同期信号にもとづき各回路ブロックの動作を制御する各種のタイミング信号を発生する。そして、発生したタイミング信号をそれぞれの回路ブロック（画像信号処理回路４１、データ電極駆動回路４２、走査電極駆動回路４３および維持電極駆動回路４４等）へ供給する。また、タイミング発生回路４５は、シャッタ眼鏡５０のシャッタの開閉を制御するシャッタ開閉用タイミング信号をタイミング信号出力部４６に出力する。なお、タイミング発生回路４５は、シャッタ眼鏡５０のシャッタを開く（可視光を透過する状態になる）ときにはシャッタ開閉用タイミング信号をオン（「１」）にし、シャッタ眼鏡５０のシャッタを閉じる（可視光を遮断する状態になる）ときにはシャッタ開閉用タイミング信号をオフ（「０」）にするものとする。また、シャッタ開閉用タイミング信号は、右目用画像信号を表示する右目用フィールドに応じてオンとなり、左目用画像信号を表示する左目用フィールドに応じてオフとなるタイミング信号（右目シャッタ開閉用タイミング信号）と、左目用画像信号を表示する左目用フィールドに応じてオンとなり、右目用画像信号を表示する右目用フィールドに応じてオフとなるタイミング信号（左目シャッタ開閉用タイミング信号）とからなるものとする。
【００３７】
タイミング信号出力部４６は、ＬＥＤ（Ｌｉｇｈｔ  Ｅｍｉｔｔｉｎｇ  Ｄｉｏｄｅ）等の発光素子を有しており、シャッタ開閉用タイミング信号を、例えば赤外線の信号に変換してシャッタ眼鏡５０に供給する。
【００３８】
走査電極駆動回路４３は、初期化波形発生回路、維持パルス発生回路、走査パルス発生回路（図示せず）を有する。初期化波形発生回路は、初期化期間に走査電極ＳＣ１〜走査電極ＳＣｎに印加する初期化波形を発生する。維持パルス発生回路は、維持期間に走査電極ＳＣ１〜走査電極ＳＣｎに印加する維持パルスを発生する。走査パルス発生回路は、複数の走査電極駆動ＩＣ（走査ＩＣ）を備え、書込み期間に走査電極ＳＣ１〜走査電極ＳＣｎに印加する走査パルスを発生する。そして、走査電極駆動回路４３は、タイミング発生回路４５から供給されるタイミング信号にもとづいて走査電極ＳＣ１〜走査電極ＳＣｎをそれぞれ駆動する。
【００３９】
維持電極駆動回路４４は、維持パルス発生回路および電圧Ｖｅ１、電圧Ｖｅ２を発生する回路を備え（図示せず）、タイミング発生回路４５から供給されるタイミング信号にもとづいて維持電極ＳＵ１〜維持電極ＳＵｎを駆動する。
【００４０】
シャッタ眼鏡５０は、右目用シャッタ５２Ｒおよび左目用シャッタ５２Ｌを有する。右目用シャッタ５２Ｒおよび左目用シャッタ５２Ｌは、それぞれ独立にシャッタの開閉が可能である。そして、シャッタ眼鏡５０は、タイミング信号出力部４６から供給されるシャッタ開閉用タイミング信号にもとづいて右目用シャッタ５２Ｒおよび左目用シャッタ５２Ｌを開閉する。右目用シャッタ５２Ｒは、右目シャッタ開閉用タイミング信号がオンのときには開き（可視光を透過し）、オフのときには閉じる（可視光を遮断する）。左目用シャッタ５２Ｌは、左目シャッタ開閉用タイミング信号がオンのときには開き（可視光を透過し）、オフのときには閉じる（可視光を遮断する）。右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００４１】
次に、パネル１０を駆動するための駆動電圧波形とその動作の概要について説明する。なお、本実施の形態におけるプラズマディスプレイ装置４０は、サブフィールド法によって階調表示を行う。サブフィールド法では、１フィールドを時間軸上で複数のサブフィールドに分割し、各サブフィールドに輝度重みをそれぞれ設定する。そして、サブフィールド毎に各放電セルの発光・非発光を制御することによってパネル１０に画像を表示する。
【００４２】
なお、本実施の形態において、プラズマディスプレイ装置４０に入力される画像信号は、３Ｄ画像信号である。すなわち、右目用画像信号と左目用画像信号とをフィールド毎に交互に繰り返す立体視用の画像信号である。そして、右目用画像信号を表示する右目用フィールドと、左目用画像信号を表示する左目用フィールドとを交互に繰り返し、パネル１０に右目用画像および左目用画像からなる立体視用の画像を表示する。それととともに、パネル１０に表示されるその立体視用の画像（３Ｄ画像）を、右目用フィールドおよび左目用フィールドに同期して右目用シャッタ５２Ｒおよび左目用シャッタ５２Ｌをそれぞれ開閉するシャッタ眼鏡５０を通して使用者が観測する。これにより、使用者は、パネル１０に表示される３Ｄ画像を立体視することができる。
【００４３】
右目用フィールドと左目用フィールドとでは表示する画像信号が異なるだけであり、１つのフィールドを構成するサブフィールドの数、各サブフィールドの輝度重み、サブフィールドの配列等、フィールドの構成は同じである。そこで、まず１つのフィールドの構成と各電極に印加する駆動電圧波形について説明する。以下、「右目用」および「左目用」の区別が必要ない場合には、右目用フィールドおよび左目用フィールドを単にフィールドと略記する。また、右目用画像信号および左目用画像信号を単に画像信号と略記する。
【００４４】
なお、本実施の形態では、使用者に３Ｄ画像の動画像が滑らかに観測されるように、フィールド周波数（１秒間に発生するフィールドの数）を通常の２倍（例えば、１２０Ｈｚ）に設定している。この詳細は後述する。
【００４５】
各フィールドが有する複数のサブフィールドは、それぞれ初期化期間、書込み期間および維持期間を備える。なお、本実施の形態においては、右目用フィールドおよび左目用フィールドを、それぞれ５つのサブフィールド（サブフィールドＳＦ１、サブフィールドＳＦ２、サブフィールドＳＦ３、サブフィールドＳＦ４、サブフィールドＳＦ５）で構成し、各サブフィールドはそれぞれ（１、１６、８、４、２）の輝度重みを有するものとする。
【００４６】
初期化期間では初期化放電を発生し、続く書込み放電に必要な壁電荷を各電極上に形成する。このときの初期化動作には、それまでの放電の有無にかかわらず全ての放電セルに強制的に初期化放電を発生する強制初期化動作と、直前のサブフィールドの書込み期間において書込み放電を発生した放電セルだけに選択的に初期化放電を発生する選択初期化動作とがある。以下、強制初期化動作を行う初期化期間を強制初期化期間と呼称し、強制初期化期間を有するサブフィールドを「強制初期化サブフィールド」と呼称する。また、選択初期化動作を行う初期化期間を選択初期化期間と呼称し、選択初期化期間を有するサブフィールドを「選択初期化サブフィールド」と呼称する。
【００４７】
以下、本実施の形態では、右目用フィールドおよび左目用フィールドのそれぞれにおいて、最初に発生するサブフィールドＳＦ１を強制初期化サブフィールドとする例を説明する。すなわち、サブフィールドＳＦ１の初期化期間では強制初期化動作を行い、他のサブフィールド（サブフィールドＳＦ２〜サブフィールドＳＦ５）の初期化期間では選択初期化動作を行うものとする。これにより、少なくとも１フィールドに１回は全ての放電セルに初期化放電を発生させることができ、強制初期化動作以降の書込み動作を安定化することができる。また、画像の表示に関係のない発光はサブフィールドＳＦ１における強制初期化動作の放電にともなう発光のみとなる。したがって、維持放電を発生しない黒表示領域の輝度である黒輝度を低減し、パネル１０にコントラストの高い画像を表示することが可能となる。
【００４８】
書込み期間では、データ電極３２に選択的に書込みパルスを印加し、発光するべき放電セルで書込み放電を発生して壁電荷を形成する。なお、本実施の形態では、書込み期間において、２ライン毎同時書込み動作と、１ライン毎書込み動作とのいずれかを行う。２ライン毎同時書込み動作とは、走査電極２２の隣接する２本ずつに同時に走査パルスを印加していく書込み動作である。１ライン毎書込み動作とは、走査電極２２の１本ずつに走査パルスを印加していく書込み動作である。
【００４９】
本実施の形態においては、最も輝度重みの小さいサブフィールドＳＦ１および最も輝度重みの大きいサブフィールドＳＦ２の書込み期間では１ライン毎書込み動作を行い、その他のサブフィールド（サブフィールドＳＦ３〜サブフィールドＳＦ５）の書込み期間では２ライン毎同時書込み動作を行う。このように、本実施の形態では、最も輝度重みの小さいサブフィールドと最も輝度重みの大きいサブフィールドとを除くサブフィールド（サブフィールドＳＦ３〜サブフィールドＳＦ５）において２ライン毎同時書込み動作を行う。これにより、書込み期間に要する時間を短縮している。
【００５０】
そして維持期間では、サブフィールド毎に定められた輝度重みに応じた数の維持パルスを表示電極対２４に交互に印加して、書込み放電を発生した放電セルで維持放電を発生させて放電セルを発光させる。
【００５１】
なお、本実施の形態では、上述したように、右目用フィールドおよび左目用フィールドのそれぞれにおいて、最初に発生するサブフィールドＳＦ１を輝度重みの最も小さいサブフィールド（例えば、輝度重み「１」）とし、２番目に発生するサブフィールドＳＦ２を輝度重みの最も大きいサブフィールド（例えば、輝度重み「１６」）とし、それ以降は輝度重みが順次小さくなるように各サブフィールド（サブフィールドＳＦ３〜サブフィールドＳＦ５）に輝度重みを設定している。
【００５２】
輝度重みとは、各サブフィールドで表示する輝度の大きさの比を表すものであり、各サブフィールドでは輝度重みに応じた数の維持パルスを維持期間に発生する。例えば、輝度重み「８」のサブフィールドでは、輝度重み「２」のサブフィールドの４倍の数の維持パルスを維持期間に発生し、輝度重み「４」のサブフィールドの２倍の数の維持パルスを維持期間に発生する。したがって、輝度重み「８」のサブフィールドは、輝度重み「２」のサブフィールドの約４倍の輝度で発光し、輝度重み「４」のサブフィールドの約２倍の輝度で発光する。したがって、画像信号に応じた組み合わせで各サブフィールドを選択的に発光させることによって様々な階調を表示し、画像を表示することができる。
【００５３】
また、各サブフィールドの維持期間においては、それぞれのサブフィールドの輝度重みに所定の比例定数を乗じた数にもとづく数の維持パルスを表示電極対２４のそれぞれに印加する。この比例定数が輝度倍率である。
【００５４】
なお、本実施の形態では、輝度倍率が１倍のとき、輝度重み「２」のサブフィールドの維持期間では維持パルスを４つ発生し、走査電極２２と維持電極２３とにそれぞれ２回ずつ維持パルスを印加するものとする。すなわち、維持期間においては、それぞれのサブフィールドの輝度重みに所定の輝度倍率を乗じた数の維持パルスが、走査電極２２および維持電極２３のそれぞれに印加される。したがって、輝度倍率が２倍のとき、輝度重み「２」のサブフィールドの維持期間で発生する維持パルスの数は８となり、輝度倍率が３倍のとき、輝度重み「２」のサブフィールドの維持期間で発生する維持パルスの数は１２となる。
【００５５】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００５６】
図４は、本発明の一実施の形態におけるプラズマディスプレイ装置４０に用いるパネル１０の各電極に印加する駆動電圧波形図である。図４には、書込み期間において最初に書込み動作を行う走査電極ＳＣ１から走査電極ＳＣ４までの各走査電極２２、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００５７】
なお、以下における走査電極ＳＣｉ、維持電極ＳＵｉ、データ電極Ｄｋは、各電極の中から画像データ（サブフィールド毎の点灯・非点灯を示すデータ）にもとづき選択された電極を表す。
【００５８】
まず、強制初期化サブフィールドであり輝度重みの最も小さいサブフィールドであるサブフィールドＳＦ１について説明する。
【００５９】
サブフィールドＳＦ１の初期化期間（強制初期化期間）の前半部では、データ電極Ｄ１〜データ電極Ｄｍ、維持電極ＳＵ１〜維持電極ＳＵｎに、それぞれ電圧０（Ｖ）を印加する。そして、走査電極ＳＣ１〜走査電極ＳＣｎには、電圧Ｖｉ１を印加する。電圧Ｖｉ１は、維持電極ＳＵ１〜維持電極ＳＵｎに対して放電開始電圧未満の電圧に設定する。さらに、走査電極ＳＣ１〜走査電極ＳＣｎに、電圧Ｖｉ１から電圧Ｖｉ２に向かって緩やかに上昇する傾斜波形電圧を印加する。電圧Ｖｉ２は、維持電極ＳＵ１〜維持電極ＳＵｎに対して放電開始電圧を超える電圧に設定する。
【００６０】
この傾斜波形電圧が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００６１】
この初期化期間（強制初期化期間）の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに下降する傾斜波形電圧を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００６２】
走査電極ＳＣ１〜走査電極ＳＣｎに下降する傾斜波形電圧を印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルで強制的に初期化放電を発生する強制初期化動作が終了する。
【００６３】
サブフィールドＳＦ１の書込み期間では、走査電極ＳＣ１〜走査電極ＳＣｎに対しては、順次走査パルス電圧Ｖａを印加する。データ電極Ｄ１〜データ電極Ｄｍに対しては、発光するべき放電セルに対応するデータ電極Ｄｋ（ｋ＝１〜ｍ）に正の書込みパルス電圧Ｖｄを印加する。こうして、各放電セルに選択的に書込み放電を発生する。
【００６４】
具体的には、まず維持電極ＳＵ１〜維持電極ＳＵｎに電圧Ｖｅ２を印加し、走査電極ＳＣ１〜走査電極ＳＣｎに電圧Ｖｃ（電圧Ｖｃ＝電圧Ｖａ＋電圧Ｖｓｃ）を印加する。
【００６５】
次に、１ライン目の走査電極ＳＣ１に負の電圧Ｖａの走査パルスを印加する。そして、画像信号にもとづき、データ電極Ｄ１〜データ電極Ｄｍのうち１ライン目に発光するべき放電セルのデータ電極Ｄｋに正の電圧Ｖｄの書込みパルスを印加する。これにより、書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００６６】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００６７】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００６８】
このようにして、１ライン目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００６９】
次に、２ライン目の走査電極ＳＣ２に走査パルスを印加するとともに、画像信号にもとづき２ライン目に発光するべき放電セルのデータ電極Ｄｋ（ｋ＝１〜ｍ）に書込みパルスを印加する。これにより、２ライン目において発光するべき放電セルで書込み放電を発生する。
【００７０】
以下、走査電極ＳＣ３〜走査電極ＳＣｎに走査パルスを順次印加して上述と同様の書込み動作をｎライン目の放電セルに至るまで順次行い、書込み期間が終了する。このように、本実施の形態においては、輝度重みの最も小さいサブフィールドの書込み期間においては１ライン毎書込み動作を行う。
【００７１】
続く維持期間では、維持パルスを表示電極対２４に交互に印加して、書込み放電を発生した放電セルに維持放電を発生し、その放電セルを発光させる。
【００７２】
この維持期間では、まず走査電極ＳＣ１〜走査電極ＳＣｎに正の電圧Ｖｓの維持パルスを印加するとともに維持電極ＳＵ１〜維持電極ＳＵｎにベース電位となる接地電位、すなわち電圧０（Ｖ）を印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００７３】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【００７４】
続いて、走査電極ＳＣ１〜走査電極ＳＣｎにはベース電位となる電圧０（Ｖ）を、維持電極ＳＵ１〜維持電極ＳＵｎには維持パルスをそれぞれ印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００７５】
以降同様に、走査電極ＳＣ１〜走査電極ＳＣｎと維持電極ＳＵ１〜維持電極ＳＵｎとに、維持パルスを交互に印加する。こうすることで、書込み期間において書込み放電を発生した放電セルで維持放電が継続して発生する。
【００７６】
なお、維持期間で発生する維持パルスの数は、それぞれのサブフィールドの輝度重みに所定の輝度倍率を乗じた数にもとづく数であり、輝度重みに輝度倍率を乗じた数の維持パルスを、走査電極２２および維持電極２３のそれぞれに印加する。ただし、本実施の形態において、サブフィールドＳＦ１の維持期間では、輝度重みに輝度倍率を乗じた数よりも多い数の維持パルスを、走査電極２２および維持電極２３のそれぞれに印加する。この理由については後述する。
【００７７】
そして、維持期間における維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎに、電圧０（Ｖ）から電圧Ｖｒに向かって緩やかに上昇する傾斜波形電圧を印加する。電圧Ｖｒを、放電開始電圧を超える電圧に設定することにより、維持放電を発生した放電セルの維持電極ＳＵｉと走査電極ＳＣｉとの間で、微弱な放電が発生する。この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、データ電極Ｄｋ上の正の壁電荷を残したまま、走査電極ＳＣｉおよび維持電極ＳＵｉ上の、壁電圧の一部または全部が消去される。
【００７８】
上昇する電圧が電圧Ｖｒに到達したら、走査電極ＳＣ１〜走査電極ＳＣｎに印加する電圧を電圧０（Ｖ）まで下降する。こうして、維持期間における維持動作が終了する。
【００７９】
次に、選択初期化サブフィールドであり輝度重みの最も大きいサブフィールドであるサブフィールドＳＦ２について説明する。
【００８０】
サブフィールドＳＦ２の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から放電開始電圧を超える負の電圧Ｖｉ４に向かって緩やかに下降する傾斜波形電圧を印加する。
【００８１】
これにより、直前のサブフィールド（図４では、サブフィールドＳＦ１）の維持期間で維持放電を発生した放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００８２】
一方、直前のサブフィールドの維持期間で維持放電を発生しなかった放電セルでは、初期化放電は発生せず、直前のサブフィールドの初期化期間終了時における壁電荷がそのまま保たれる。このように、サブフィールドＳＦ２における初期化動作では、直前のサブフィールドの書込み期間で書込み動作を行った放電セル、すなわち直前のサブフィールドの維持期間で維持放電を発生した放電セルに対して初期化放電を発生する選択初期化動作を行う。
【００８３】
サブフィールドＳＦ２の書込み期間では、維持電極ＳＵ１〜維持電極ＳＵｎに電圧Ｖｅ２を印加し、走査電極ＳＣ１〜走査電極ＳＣｎに電圧Ｖｃを印加する。
【００８４】
次に、１ライン目の走査電極ＳＣ１に走査パルスを印加し、画像信号にもとづき１ライン目に発光するべき放電セルのデータ電極Ｄｋに書込みパルスを印加して、１ライン目に発光するべき放電セルで書込み放電を発生させる。次に、２ライン目の走査電極ＳＣ２に走査パルスを印加し、画像信号にもとづき２ライン目に発光するべき放電セルのデータ電極Ｄｋに書込みパルスを印加して、２ライン目に発光するべき放電セルで書込み放電を発生させる。
【００８５】
以下、走査電極ＳＣ３〜走査電極ＳＣｎに走査パルスを順次印加して上述と同様の書込み動作をｎライン目の放電セルに至るまで順次行い、書込み期間が終了する。このように、本実施の形態においては、輝度重みの最も大きいサブフィールドの書込み期間においても、１ライン毎書込み動作を行う。
【００８６】
サブフィールドＳＦ２の維持期間では、輝度重みに所定の輝度倍率を乗じた数の維持パルスを走査電極ＳＣ１〜走査電極ＳＣｎと維持電極ＳＵ１〜維持電極ＳＵｎとのそれぞれに交互に印加し、書込み期間において書込み放電を発生した放電セルで維持放電を継続して発生させる。そして、維持期間の最後には電圧Ｖｒに向かって緩やかに上昇する傾斜波形電圧を走査電極ＳＣ１〜走査電極ＳＣｎに印加する。
【００８７】
サブフィールドＳＦ３の初期化期間の動作はサブフィールドＳＦ２の初期化期間の動作と同様であるため説明を省略する。
【００８８】
サブフィールドＳＦ３の書込み期間では、維持電極ＳＵ１〜維持電極ＳＵｎに電圧Ｖｅ２を印加し、走査電極ＳＣ１〜走査電極ＳＣｎに電圧Ｖｃを印加する。
【００８９】
次に、１ライン目の走査電極ＳＣ１および２ライン目の走査電極ＳＣ２に同時に走査パルスを印加する。そして、画像信号にもとづき、データ電極Ｄ１〜データ電極Ｄｍのうち１ライン目に発光するべき放電セルのデータ電極Ｄｋに書込みパルスを印加する。
【００９０】
これにより、書込みパルスを印加した放電セルのデータ電極Ｄｋと走査電極ＳＣ１との交差部の電圧差、およびデータ電極Ｄｋと走査電極ＳＣ２との交差部の電圧差は、それぞれ放電開始電圧を超え、データ電極Ｄｋと走査電極ＳＣ１との間、およびデータ電極Ｄｋと走査電極ＳＣ２との間で、それぞれ放電が発生する。さらに、データ電極Ｄｋと走査電極ＳＣ１との間に発生する放電を引き金にして、データ電極Ｄｋと交差する領域にある維持電極ＳＵ１と走査電極ＳＣ１との間に放電が発生し、データ電極Ｄｋと走査電極ＳＣ２との間に発生する放電を引き金にして、データ電極Ｄｋと交差する領域にある維持電極ＳＵ２と走査電極ＳＣ２との間に放電が発生する。
【００９１】
こうして、発光するべき放電セルに書込み放電が発生し、走査電極ＳＣ１上および走査電極ＳＣ２上に正の壁電圧が蓄積され、維持電極ＳＵ１上および維持電極ＳＵ２上に負の壁電圧が蓄積され、データ電極Ｄｋ上にも負の壁電圧が蓄積される。
【００９２】
このようにして、１ライン目において発光するべき放電セルに加え、２ライン目の放電セルでも書込み放電を発生する。一方、書込みパルスを印加しなかったデータ電極３２と走査電極ＳＣ１との交差部の電圧、および同データ電極３２と走査電極ＳＣ２との交差部の電圧は放電開始電圧を超えないので、書込み放電は発生しない。
【００９３】
次に、３ライン目の走査電極ＳＣ３および４ライン目の走査電極ＳＣ４に同時に走査パルスを印加し、画像信号にもとづきデータ電極Ｄ１〜データ電極Ｄｍのうち３ライン目に発光するべき放電セルのデータ電極Ｄｋに書込みパルスを印加する。これにより、３ライン目において発光するべき放電セルに加え、４ライン目の放電セルでも書込み動作が行われる。
【００９４】
以下、走査電極ＳＣｎに至るまで、順次、奇数ライン目の走査電極ＳＣｐ（ｐは奇数）とその次の偶数ライン目の走査電極ＳＣｐ＋１とに同時に走査パルスを印加し、画像信号にもとづきデータ電極Ｄ１〜データ電極Ｄｍのうちｐライン目に発光するべき放電セルのデータ電極Ｄｋに書込みパルスを印加する書込み動作を行う。
【００９５】
本実施の形態では、このように、サブフィールドＳＦ３の書込み期間において、２ライン毎同時書込み動作を行う。これにより、サブフィールドＳＦ３では、奇数ラインの画像信号だけが表示され、隣接する２つのライン上の放電セル、すなわち奇数ライン上の放電セルと偶数ライン上の放電セルとが同じパターンで発光することになるが、書込み動作に要する時間を１ライン毎書込みの約半分に短縮することができる。
【００９６】
なお、本実施の形態では、２ライン毎同時書込み動作を行う走査電極２２の組み合わせを、２フィールド毎に変更するものとする。例えば、ある右目用フィールドＦｎおよびそれに続く左目用フィールドＦｎ＋１において、２ライン毎同時書込み動作を行う際に、奇数ライン目の走査電極ＳＣｐとその次の偶数ライン目の走査電極ＳＣｐ＋１とに同時に走査パルスを印加し、画像信号にもとづきｐライン目に発光するべき放電セルのデータ電極Ｄｋに書込みパルスを印加して書込み動作を行うとする。その場合には、それに続く右目用フィールドＦｎ＋２および左目用フィールドＦｎ＋３においては、２ライン毎同時書込み動作を行う際に、偶数ライン目の走査電極ＳＣｐ＋１とその次の奇数ライン目の走査電極ＳＣｐ＋２とに同時に走査パルスを印加し、画像信号にもとづきｐ＋１ライン目に発光するべき放電セルのデータ電極Ｄｋに書込みパルスを印加して２ライン毎同時書込み動作を行う。
【００９７】
サブフィールドＳＦ３の維持期間では、輝度重みに所定の輝度倍率を乗じた数の維持パルスを走査電極ＳＣ１〜走査電極ＳＣｎと維持電極ＳＵ１〜維持電極ＳＵｎとのそれぞれに交互に印加し、書込み期間において書込み放電を発生した放電セルで維持放電を継続して発生させる。そして、維持期間の最後には電圧Ｖｒに向かって緩やかに上昇する傾斜波形電圧を走査電極ＳＣ１〜走査電極ＳＣｎに印加する。
【００９８】
続くサブフィールドＳＦ４およびサブフィールドＳＦ５の初期化期間の動作はサブフィールドＳＦ３の初期化期間と同様の選択初期化動作である。また、サブフィールドＳＦ４およびサブフィールドＳＦ５の書込み期間の動作はサブフィールドＳＦ３の動作と同様の２ライン毎同時書込み動作である。さらに、サブフィールドＳＦ４およびサブフィールドＳＦ５の維持期間の動作も維持パルスの発生数を除きサブフィールドＳＦ３の動作と同様である。
【００９９】
以上が、本実施の形態においてパネル１０の各電極に印加する駆動電圧波形の概要である。
【０１００】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２５（Ｖ）、電圧Ｖｅ２＝１３０（Ｖ）、電圧Ｖｄ＝６０（Ｖ）である。ただし、これらの電圧値は単に一実施例を挙げたものに過ぎない。各電圧値は、パネル１０の特性やプラズマディスプレイ装置４０の仕様等に合わせて、適宜最適な値に設定することが望ましい。例えば、電圧Ｖｅ１と電圧Ｖｅ２とは互いに等しい電圧であってもよく、電圧Ｖｃは正の電圧であってもよい。
【０１０１】
次に、本実施の形態のプラズマディスプレイ装置４０におけるサブフィールドの構成について再度説明する。図５は、本発明の一実施の形態におけるプラズマディスプレイ装置４０のサブフィールド構成およびシャッタ眼鏡５０の開閉動作を示す模式図である。図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用シャッタ５２Ｒおよび左目用シャッタ５２Ｌの開閉動作とを示す。また、図５には４つのフィールド（フィールドＦ１〜フィールドＦ４）を示す。
【０１０２】
本実施の形態においては、パネル１０に３Ｄ画像を表示するために、右目用フィールドと左目用フィールドとを交互に発生する。例えば、図５に示す４つのフィールドのうち、フィールドＦ１、フィールドＦ３は右目用フィールドであり、右目用画像信号をパネル１０に表示する。また、フィールドＦ２、フィールドＦ４は左目用フィールドであり、左目用画像信号をパネル１０に表示する。また、シャッタ眼鏡５０を通してパネル１０に表示される３Ｄ画像を観測する使用者には、２フィールドで表示される画像（右目用画像および左目用画像）が１枚の３Ｄ画像として認識される。そのため、使用者には、１秒間にパネル１０に表示される画像の数が、１秒間に表示されるフィールドの数の半分の数として観測される。例えば、パネルに表示される３Ｄ画像のフィールド周波数（１秒間に発生するフィールドの数）が６０Ｈｚのとき、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数（１秒間に発生するフィールドの数）を通常の２倍（例えば、１２０Ｈｚ）に設定している。
【０１０３】
シャッタ眼鏡５０の右目用シャッタ５２Ｒおよび左目用シャッタ５２Ｌは、タイミング信号出力部４６から出力されるシャッタ開閉用タイミング信号のオン・オフにもとづき開閉動作が制御される。すなわち、タイミング発生回路４５は、右目用フィールド（例えば、フィールドＦ１やフィールドＦ３）では、右目用シャッタ５２Ｒが開き、左目用シャッタ５２Ｌが閉じるように、左目用フィールド（例えば、フィールドＦ２やフィールドＦ４）では、左目用シャッタ５２Ｌが開き、右目用シャッタ５２Ｒが閉じるようにシャッタ開閉用タイミング信号（右目シャッタ開閉用タイミング信号および左目シャッタ開閉用タイミング信号）を発生し、タイミング信号出力部４６からシャッタ眼鏡５０に出力する。これらの動作の詳細については後述する。
【０１０４】
右目用フィールドおよび左目用フィールドは、それぞれ５つのサブフィールド（ＳＦ１、ＳＦ２、ＳＦ３、ＳＦ４、ＳＦ５）で構成され、それぞれのサブフィールドは（１、１６、８、４、２）の輝度重みをもつ。このように各サブフィールドを設定する理由について以下に説明する。
【０１０５】
蛍光体層３５は、その蛍光体を構成する材料に依存した残光特性を有する。この残光とは、放電終了後も蛍光体が発光を持続する現象のことであり、蛍光体が発光したときの輝度が高いほど、残光も強くなる。また、残光は、蛍光体の特性に応じた時定数を有しており、その時定数に応じて時間の経過とともに徐々に発光輝度が減衰する。そのため、蛍光体が発光したときの輝度が高いほど減衰に要する時間も長くなる。
【０１０６】
輝度重みが大きいサブフィールドで生じる発光は輝度重みが小さいサブフィールドで生じる発光よりも発光輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１０７】
このため、１フィールドの最終サブフィールドを輝度重みの大きいサブフィールドにすると、最終サブフィールドを輝度重みの小さいサブフィールドにするときと比較して、続くフィールドに漏れ込む残光が増加する。そして、右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光が画像信号とは関係のない不要な発光として使用者に観測されることとなる。この現象がクロストークであり、クロストークが大きくなるほど立体視は阻害され、画像表示品質は劣化する。
【０１０８】
クロストークを低減するためには、輝度重みの大きいサブフィールドを１フィールドの早い時期に発生させて強い残光をできるだけ自フィールド内で収束させ、以降、順に輝度重みを小さくし、１フィールドの最終サブフィールドを輝度重みの小さいサブフィールドにして次フィールドへの残光の漏れ込みをできるだけ低減するようにすればよい。
【０１０９】
一方、本実施の形態においては、黒輝度を低減するとともに書込み放電を安定化するために、サブフィールドＳＦ１を強制初期化サブフィールドとし、他のサブフィールドを選択初期化サブフィールドとしている。したがって、サブフィールドＳＦ１の初期化期間においては、全ての放電セルに初期化放電を発生し、書込み動作のために必要な壁電荷およびプライミング粒子を発生することができる。しかしながら、この壁電荷およびプライミング粒子は時間の経過とともに徐々に失われてしまう。
【０１１０】
例えば、１フィールドの最終サブフィールド（例えば、サブフィールドＳＦ５）における壁電荷およびプライミング粒子を、途中のサブフィールド（例えば、サブフィールドＳＦ１〜サブフィールドＳＦ４のいずれか１つまたは複数のサブフィールド）で書込み動作を行う放電セルと、途中のサブフィールドで書込み動作を行わない放電セルとで比較する。その場合、壁電荷およびプライミング粒子は、途中のサブフィールドで書込み動作を行わない放電セルの方が少なくなる。途中のサブフィールドで書込み動作を行う放電セルでは、書込み動作にともなう維持放電が発生して壁電荷およびプライミング粒子が発生する。しかし、途中のサブフィールドで書込み動作を行わない放電セルでは、サブフィールドＳＦ１の初期化動作以降、最終サブフィールドの直前まで維持放電が発生しない。そのため、壁電荷およびプライミング粒子が発生する機会がなく、その結果、放電セル内の壁電荷およびプライミング粒子はより多く減少してしまう。
【０１１１】
また、輝度重みの最も大きいサブフィールドは、明るい階調を表示する放電セルでは維持放電が発生するが、暗い階調を表示する放電セルでは維持放電が発生しない。例えば、暗い図柄の画像をパネル１０に表示すると、輝度重みの最も大きいサブフィールドで全く維持放電が発生しないこともある。また、一般的に視聴される動画においては、輝度重みの小さいサブフィールドほど発光する放電セルの数が多くなることが実験的に確認されている。そのため、画像の図柄にもよるが、一般的な動画をパネル１０に表示する場合、輝度重みの最も小さいサブフィールドは、輝度重みの最も大きいサブフィールドよりも維持放電が発生する確率が高いと言える。言い換えると、輝度重みの最も大きいサブフィールドは輝度重みの最も小さいサブフィールドよりも維持放電が発生する確率が低い。
【０１１２】
したがって、サブフィールドＳＦ１の輝度重みを最も大きくし、それ以降、最終サブフィールドに向かって輝度重みを順次小さくする構成では、サブフィールドＳＦ１で維持放電が発生する確率が低くなるため、最終サブフィールドでの書込み動作が不安定になる放電セルが増加するおそれがある。
【０１１３】
そこで、本実施の形態では、サブフィールドＳＦ１を輝度重みの最も小さいサブフィールドとし、サブフィールドＳＦ２を輝度重みの最も大きいサブフィールドとし、サブフィールドＳＦ３以降のサブフィールドは輝度重みを順次小さくする構成とする。
【０１１４】
これにより、サブフィールドＳＦ１から最終サブフィールドに向かって輝度重みを順次小さくする構成と比較して、サブフィールドＳＦ１で維持放電を発生する放電セルの数を増加させることができる。
【０１１５】
サブフィールドＳＦ１で維持放電が発生すれば、その維持放電により放電セル内に壁電荷およびプライミング粒子を補充することができる。したがって、最終サブフィールドにおける書込み動作をより安定に行うことが可能となる。
【０１１６】
また、サブフィールドＳＦ１は強制初期化サブフィールドであるので、サブフィールドＳＦ１では、強制初期化動作で生じたプライミングが残存する間に書込み放電を発生させることができ、安定に書込み動作を行うことができる。したがって、最も輝度重みの小さいサブフィールドだけを発光させる放電セルであっても安定した書込み放電を発生させることができる。
【０１１７】
また、輝度重みの大きいサブフィールドを１フィールドの早い時期に発生させることができるので、残光の大きさをサブフィールドＳＦ３以降順次小さくすることができ、次フィールドへの残光の漏れ込み、すなわちクロストークを低減することができる。
【０１１８】
すなわち、本実施の形態に示すプラズマディスプレイ装置４０においては、上述したクロストークの低減と、最終サブフィールドにおける書込み動作の安定化とを両立することができる。
【０１１９】
また、本実施の形態では、各フィールドのサブフィールドＳＦ１およびサブフィールドＳＦ２の書込み期間では１ライン毎書込み動作を行い、サブフィールドＳＦ３〜サブフィールドＳＦ５の書込み期間では２ライン毎同時書込み動作を行う。
【０１２０】
このとき、右目用フィールドであるフィールドＦ１では、サブフィールドＳＦ３〜サブフィールドＳＦ５の書込み期間において、奇数ライン目の走査電極ＳＣｐとその次の偶数ライン目の走査電極ＳＣｐ＋１とに同時に走査パルスを印加し、画像信号にもとづきｐライン目に発光するべき放電セルのデータ電極Ｄｋに書込みパルスを印加して２ライン毎同時書込み動作を行う。
【０１２１】
また、次の右目用フィールドであるフィールドＦ３では、サブフィールドＳＦ３〜サブフィールドＳＦ５の書込み期間において、偶数ライン目の走査電極ＳＣｐ＋１とその次の奇数ライン目の走査電極ＳＣｐ＋２とに同時に走査パルスを印加し、画像信号にもとづきｐ＋１ライン目に発光するべき放電セルのデータ電極Ｄｋに書込みパルスを印加して２ライン毎同時書込み動作を行う。
【０１２２】
左目用フィールドであるフィールドＦ２では、サブフィールドＳＦ３〜サブフィールドＳＦ５の書込み期間において、奇数ライン目の走査電極ＳＣｐとその次の偶数ライン目の走査電極ＳＣｐ＋１とに同時に走査パルスを印加し、画像信号にもとづきｐライン目に発光するべき放電セルのデータ電極Ｄｋに書込みパルスを印加して２ライン毎同時書込み動作を行う。
【０１２３】
また、次の左目用フィールドであるフィールドＦ４では、サブフィールドＳＦ３〜サブフィールドＳＦ５の書込み期間において、偶数ライン目の走査電極ＳＣｐ＋１とその次の奇数ライン目の走査電極ＳＣｐ＋２とに同時に走査パルスを印加し、画像信号にもとづきｐ＋１ライン目に発光するべき放電セルのデータ電極Ｄｋに書込みパルスを印加して２ライン毎同時書込み動作を行う。
【０１２４】
本実施の形態では、上述したフィールドＦ１〜フィールドＦ４の動作を、以降のフィールドにおいても同様に繰り返すことによって、パネル１０に３Ｄ画像を表示する。
【０１２５】
このように、本実施の形態では、輝度重みの最も小さいサブフィールドＳＦ１および輝度重みの最も大きいサブフィールドＳＦ２の書込み期間において１ライン毎書込み動作を行い、サブフィールドＳＦ３以降の書込み期間において２ライン毎同時書込み動作を行う。次に、その理由について説明する。
【０１２６】
上述したように、従来の同時書込み動作を用いた駆動方法は、書込み期間を短縮することができるので、画像を表示するために使用する時間を短縮しなければならないときに有効な駆動方法である。しかしながら、パネル１０に表示される１枚の画像において、隣接する２本の走査電極２２上に形成される各放電セルが全く同じパターンで発光するため、垂直解像度が低下しやすいという課題があった。特に、動画像をパネル１０に表示する際には、垂直解像度の低下による画質劣化が目につきやすい。
【０１２７】
そこで、本実施の形態では、サブフィールドＳＦ２の書込み期間では１ライン毎書込み動作を行うものとする。サブフィールドＳＦ２は輝度重みの最も大きいサブフィールドであり、表示画像において図柄の輪郭を表示する上で主要な働きを有する。したがって、サブフィールドＳＦ２の書込み期間で１ライン毎書込み動作を行うことで、輝度重みの最も大きいサブフィールドにおいて、各ライン上の放電セルを画像信号に応じたパターンで点灯することができ、表示画像の輪郭における垂直解像度の低下を抑制することができる。
【０１２８】
また、上述したように、３Ｄ画像は右目用と左目用との２枚の画像で構成されるため、パネル１０に３Ｄ画像を表示する際には、１秒間に表示される３Ｄ画像の枚数はフィールド周波数の半分となる。したがって、従来画像（２Ｄ画像）と同様の枚数（１秒間）の３Ｄ画像をパネル１０に表示するためには、１フィールドの時間を従来画像の半分にしてフィールド周波数を２倍にしなければならない。
【０１２９】
１フィールドの時間が短くなると、１フィールドを構成するサブフィールドの数を減らさなければならず、その分、パネル１０に表示できる階調の数も減少する。減少した階調を補い、少ないサブフィールドでより多くの階調を表示するためには、擬似的に階調を表示することができるディザ法や誤差拡散法等の画像信号処理が有効である。そして、これらの画像信号処理では、最も輝度重みの小さいサブフィールドの発光が重要な役割を果たす。
【０１３０】
そこで、本実施の形態では、最も輝度重みの小さいサブフィールドＳＦ１の書込み期間では１ライン毎書込み動作を行うものとする。これにより、輝度重みの最も小さいサブフィールドにおいて、各ライン上の放電セルをそれぞれ異なるパターンで点灯することができるので、ディザ法や誤差拡散法等の画像信号処理の効果が低下することを抑制することができる。したがって、輝度の低い画像であっても滑らかに階調を表示することが可能となる。
【０１３１】
また、上述した駆動方法では、サブフィールドＳＦ１とサブフィールドＳＦ２の書込み期間に要する時間が、サブフィールドＳＦ３〜サブフィールドＳＦ５の書込み期間に要する時間に比べて長くなる。これにより、クロストークを抑制する効果をより大きくすることができる。
【０１３２】
次に、本実施の形態におけるプラズマディスプレイ装置４０を駆動するサブフィールドの構成について、シャッタ眼鏡５０におけるシャッタの開閉動作を交えて説明する。
【０１３３】
図６は、本発明の一実施の形態におけるプラズマディスプレイ装置４０のサブフィールド構成と放電セルにおける発光輝度と右目用シャッタ５２Ｒおよび左目用シャッタ５２Ｌの開閉状態とを示す模式図である。図６には、走査電極ＳＣ１に印加する駆動電圧波形と、発光輝度（相対値）を示す波形と、シャッタ眼鏡５０の右目用シャッタ５２Ｒおよび左目用シャッタ５２Ｌの開閉状態とを示す。また、図６には２つのフィールド（右目用フィールドＦ１、左目用フィールドＦ２）を示す。
【０１３４】
なお、図６において、発光輝度を示す図面では、発光輝度を相対的に表しており、縦軸は、上に行くほど値が大きくなり発光輝度が高くなることを表している。また、シャッタの開閉状態を示す図面では、右目用シャッタ５２Ｒおよび左目用シャッタ５２Ｌの開閉状態を透過率を用いて表しており、縦軸は、シャッタが完全に開いた状態の透過率（透過率が最大のとき）を１００％とし、シャッタが完全に閉じた状態の透過率（透過率が最小のとき）を０％として、シャッタの透過率を相対的に表している。なお、図６における各波形図において、横軸は時間を表す。
【０１３５】
パネル１０で用いられている蛍光体層３５は、その蛍光体を構成する材料に依存した残光特性を有する。例えば、維持放電を終了した後も数ｍｓｅｃの間は残光が持続するという特性を有する蛍光体材料も存在する。そして、１つのフィールドで発生した残光が続くフィールドに漏れ込むと、その残光は、クロストークとして使用者に観測される。例えば、右目用画像を表示するフィールドが終了した後、右目用画像の残光による残像が消える前に左目用画像がパネル１０に表示されると、左目用画像に右目用画像が混入するクロストークが生じる。そして、残光の輝度が大きくなってクロストークが大きくなると、立体視は阻害され、プラズマディスプレイ装置４０における画像表示品質は劣化する。なお、この画像表示品質とは、シャッタ眼鏡５０を通して３Ｄ画像を観測する使用者にとっての画像表示品質のことである。
【０１３６】
このとき、例えば、右目用画像（左目用画像）の残光が十分に減衰するまで左目用シャッタ５２Ｌ（右目用シャッタ５２Ｒ）を開かないようにすることで、このクロストークを低減することができる。
【０１３７】
本実施の形態では、サブフィールドＳＦ１とサブフィールドＳＦ２の書込み期間に要する時間が、サブフィールドＳＦ３〜サブフィールドＳＦ５の書込み期間に要する時間に比べて長い。したがって、直前のフィールドが終了してから、サブフィールドＳＦ２の維持期間が開始するまでの時間は、他のサブフィールドと比較して長く、この間に、直前のフィールドで生じた残光を十分に減衰させることができる。そして、サブフィールドＳＦ２の維持期間の直前にシャッタ（左目用シャッタ５２Ｌおよび右目用シャッタ５２Ｒ）を開ききるようにシャッタ開閉用タイミング信号をタイミング信号出力部４６からシャッタ眼鏡５０に出力すれば、サブフィールドＳＦ２の発光を遮らずに、この残光が使用者の眼に入ることを防止でき、クロストークを低減することができる。
【０１３８】
また、シャッタ眼鏡５０においては、シャッタを閉じ始めてから閉じきるまでに、または、シャッタを開き始めてから開ききるまでに、シャッタを構成する材料（例えば、液晶）の特性に応じた時間がかかる。例えば、シャッタ眼鏡５０においては、シャッタを閉じ始めてから閉じきるまでに（例えば、シャッタの透過率が１００％から１０％になるまでに）０．５ｍｓｅｃ程度の時間がかかり、シャッタを開き始めてから開ききるまでに（例えば、シャッタの透過率が０％から９０％になるまでに）２ｍｓｅｃ程度の時間がかかることがある。
【０１３９】
本実施の形態においては、これらのことを考慮し、右目用シャッタ５２Ｒおよび左目用シャッタ５２Ｌの開閉タイミングを設定する。
【０１４０】
すなわち、タイミング発生回路４５は、右目用フィールド（例えば、フィールドＦ１やフィールドＦ３）では、サブフィールドＳＦ１の維持期間の開始前に右目用シャッタ５２Ｒが開き始め、サブフィールドＳＦ２の維持期間の開始直前には右目用シャッタ５２Ｒが開ききるように、また、最終サブフィールドであるサブフィールドＳＦ５の維持期間の維持パルスが発生し終った後に右目用シャッタ５２Ｒが閉じ始めるように、シャッタ開閉用タイミング信号（右目シャッタ開閉用タイミング信号）を発生し、タイミング信号出力部４６からシャッタ眼鏡５０に出力する。
【０１４１】
左目用フィールド（例えば、フィールドＦ２やフィールドＦ４）では、サブフィールドＳＦ１の維持期間の開始前に左目用シャッタ５２Ｌが開き始め、サブフィールドＳＦ２の維持期間の開始直前には左目用シャッタ５２Ｌが開ききるように、また、最終サブフィールドであるサブフィールドＳＦ５の維持期間の維持パルスが発生し終った後に左目用シャッタ５２Ｌが閉じ始めるように、シャッタ開閉用タイミング信号（左目シャッタ開閉用タイミング信号）を発生し、タイミング信号出力部４６からシャッタ眼鏡５０に出力する。
【０１４２】
以下、各フィールドで同様の動作を繰り返す。これにより、クロストークを低減して画像表示品質を向上し、プラズマディスプレイ装置４０における良好な立体視を実現することができる。
【０１４３】
ただし、このようにシャッタ眼鏡５０のシャッタ開閉を制御する場合、サブフィールドＳＦ１の維持期間では、そのフィールドで表示する画像に対応する方のシャッタ（左目用シャッタ５２Ｌまたは右目用シャッタ５２Ｒ）は開きかけの状態であり、透過率は１００％未満である。
【０１４４】
例えば、サブフィールドＳＦ１の維持期間における透過率が５０％であれば、シャッタ眼鏡５０を通して３Ｄ画像を観測する使用者にとっては、サブフィールドＳＦ１は本来の輝度の半分で発光しているように見える。
【０１４５】
そこで、本実施の形態においては、サブフィールドＳＦ１の維持期間に発生する維持パルスの数を、シャッタの透過率にもとづき補正するものとする。具体的には、サブフィールドＳＦ１の輝度重みに所定の輝度倍率を乗じ、その乗算結果にさらにシャッタの透過率の逆数を乗じる。こうして、サブフィールドＳＦ１の維持期間に発生する維持パルスの数を決定する。例えば、サブフィールドＳＦ１の輝度重みが「１」であり、輝度倍率が「１」倍であり、サブフィールドＳＦ１の維持期間におけるシャッタの透過率が５０％であれば、サブフィールドＳＦ１の維持期間では４つの維持パルスを発生し、走査電極２２および維持電極２３のそれぞれに２回ずつ維持パルスを印加する。
【０１４６】
これにより、サブフィールドＳＦ１の維持期間において、シャッタの透過率が１００％未満であっても、シャッタ眼鏡５０を通して３Ｄ画像を観測する使用者は、サブフィールドＳＦ１の維持期間において輝度重み「１」に相当する発光輝度を観測することができる。したがって、３Ｄ画像をパネル１０に表示する際に、クロストークを低減しつつ、精度よく階調を表示することができる。
【０１４７】
なお、このシャッタの透過率とは、そのフィールドで表示する画像に対応する方のシャッタ（左目用シャッタ５２Ｌまたは右目用シャッタ５２Ｒ）における透過率のことである。
【０１４８】
なお、上述した「シャッタを閉じきる」とは、シャッタの透過率が１０％以下となることを表し、「シャッタを開ききる」とは、シャッタの透過率が９０％以上となることを表すものとする。
【０１４９】
なお、本実施の形態において、シャッタ眼鏡５０は、右目用フィールドおよび左目用フィールドのいずれのフィールドにおいても、強制初期化サブフィールド（サブフィールドＳＦ１）の初期化期間（強制初期化期間）の間、右目用シャッタ５２Ｒおよび左目用シャッタ５２Ｌはともに閉じた状態となる。すなわち、強制初期化動作によって発生する発光が、右目用シャッタ５２Ｒおよび左目用シャッタ５２Ｌによって遮られ、使用者の目に入らない状態となる。これにより、シャッタ眼鏡５０を通して３Ｄ画像を観測する使用者には、強制初期化動作による発光が見えなくなり、その発光分の輝度が黒輝度において低減することとなる。こうして、本実施の形態では、黒輝度を低減したコントラストの高い画像を使用者が観測することが可能となる。
【０１５０】
なお、本実施の形態においては、右目用フィールドおよび左目用フィールドのそれぞれを５つのサブフィールドで構成する例を説明したが、本発明は、サブフィールドの数が上記数値に限定されるものではない。例えばサブフィールドの数を６、あるいはそれ以上に増やせば、パネル１０に表示できる階調の数をさらに増やすことができる。各フィールドを構成するサブフィールドの数は、プラズマディスプレイ装置４０の仕様等に応じて最適に設定すればよい。
【０１５１】
なお、本実施の形態においては、サブフィールドの輝度重みを「２」のべき乗とし、その一例として各サブフィールドの輝度重みを（１、１６、８、４、２）とする例を説明した。しかし、本発明は、サブフィールドの輝度重みが上記数値に限定されるものではない。例えば、各サブフィールドの輝度重みを（１、１２、７、３、２）等とすることで、階調を決めるサブフィールドの組み合わせに冗長性をもたせることができ、動画擬似輪郭の発生を抑制したコーディングが可能となる。
【０１５２】
なお、図４に示した駆動電圧波形は、本発明の実施の形態における一例を示したものに過ぎず、本発明は何らこれらの駆動電圧波形に限定されるものではない。
【０１５３】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１５４】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０１５５】
なお、本発明における実施の形態において示した具体的な数値は、画面サイズが５０インチ、表示電極対２４の数が１０８０のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１５６】
本発明は、３Ｄ画像表示装置として使用可能なプラズマディスプレイ装置において、書込み期間を短縮しつつ書込み放電を安定に発生して画像表示品質を高めることができるので、プラズマディスプレイ装置の駆動方法やプラズマディスプレイ装置、加えてプラズマディスプレイシステムとして有用である。
【符号の説明】
【０１５７】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    タイミング信号出力部
５０    シャッタ眼鏡
５２Ｒ    右目用シャッタ
５２Ｌ    左目用シャッタ
【図１】
2011074227.tif 000003
【図２】
2011074227.tif 000004
【図３】
2011074227.tif 000005
【図４】
2011074227.tif 000006
【図５】
2011074227.tif 000007
【図６】
2011074227.tif 000008
【国際調査報告】
2011074227.tif 000009
2011074227.tif 000010
2011074227.tif 000011
2011074227.tif 000012